(57)【要約】【課題】空気を浄化することのできる空気清浄装置において、送風口からの送風による、本体の吸気口へ流れ込む気流の誘引を抑制することを目的とする。【解決手段】吸気口と送風口を有する本体ケース内に設けた送風手段および空気清浄手段と、送風口に設けた第１の風向調整手段と第２の風向調整手段とを備え、第１の風向調整手段は、本体ケースにおける前面側に位置し、水平面から仰角方向へ第１の角度で本体ケースにおける前面側へ送風するように風向を変化させ、第２の風向調整手段は、本体ケースにおける背面側に位置すると共に、水平面から仰角方向へ第２の角度で本体ケースにおける前面側へ送風するように風向を変化させ、第１の角度は、第２の角度と同じ角度であると共に、第１の風向調整手段の上流側の風量調整手段によって、第１の風向調整手段から送風される風量は、第２の風向調整手段から送風される風量より小さいことを特徴とする空気清浄装置。【選択図】図１
2014016071.tif 000002
【特許請求の範囲】
【請求項１】
吸気口と送風口を有する本体ケースと、この本体ケース内に設けた送風手段および空気清浄手段と、前記送風口に設けた第１の風向調整手段と第２の風向調整手段とを備え、前記吸気口は前記本体ケースの前面に設け、前記送風口は上方に開口すると共に前記本体ケースの天面に備え、前記送風手段によって、前記吸気口から吸い込まれた空気は、前記空気清浄手段を介して、前記送風口へ送風され、前記第１の風向調整手段と前記第２の風向調整手段で風向を変化させる構成とし、前記第１の風向調整手段は、前記本体ケースにおける前面側に位置すると共に、水平面から仰角方向へ第１の角度で前記本体ケースにおける前面側へ送風するように風向を変化させ、前記第２の風向調整手段は、前記本体ケースにおける背面側に位置すると共に、水平面から仰角方向へ第２の角度で前記本体ケースにおける前面側へ送風するように風向を変化させ、前記第１の角度は、前記第２の角度と同じ角度であると共に、前記第１の風向調整手段の上流側には、風量調整手段を設け、この風量調整手段によって、前記第１の風向調整手段から送風される風量は、前記第２の風向調整手段から送風される風量より小さいことを特徴とする空気清浄装置。
【請求項２】
前記第１の風向調整手段は、第１の風向板と、この第１の風向板を前記送風口に軸支する第１の軸支部とから形成し、前記第１の風向板は、前記本体ケースにおける前面側に位置すると共に、前記本体ケースにおける前面側が、水平面から仰角方向へ第１の角度を開口し、前記第２の風向調整手段は、第２の風向板と、この第２の風向板を前記送風口に軸支する第２の軸支部とから形成し、前記第２の風向板は、前記本体ケースにおける背面側に位置すると共に、前記本体ケースにおける前面側が、水平面から仰角方向へ第２の角度を開口することを特徴とする請求項１に記載の空気清浄装置。
【請求項３】
前記送風手段は、スクロール形状のケーシング部と、このケーシング部に固定されたモーター部と、このモーター部によって水平方向に伸びた軸を中心に回転するファン部とからなり、前記ケーシング部は、側面には吸込口を備え、天面には吐出口を設け、この吐出口と前記ファン部との間にケーシング風路部を備え、前記風量調整手段は、前記ケーシング風路部が前記本体ケースにおける背面側から前面側へ傾斜する構成であることを特徴とする請求項１または２に記載の空気清浄装置。
【請求項４】
前記風量調整手段は、前記吐出口に備えた前記本体ケースにおける前面側へ窪んだ窪み部であることを特徴とする請求項１から３いずれかに記載の空気清浄装置。
【請求項５】
前記送風口と前記本体ケースにおける前面との間には、風向調整部を備え、この風向調整部は、前記本体ケースにおける前面側が、水平面から仰角方向へ第３の角度を傾斜し、この第３の角度は、０°より大きく、前記第１の角度より小さいことを特徴とする請求項１から４いずれかに記載の空気清浄装置。
【請求項６】
前記送風口の開口縁部は、前記本体ケースにおける前面側が、水平面から仰角方向へ第３の角度を傾斜することを特徴とする請求項５に記載の空気清浄装置。
【発明の詳細な説明】
【技術分野】
【０００１】
本発明は、空気を浄化することのできる空気清浄装置に関するものである。
【背景技術】
【０００２】
従来のこの種の空気清浄装置の構成は以下のようになっていた。
【０００３】
すなわち、上方に開口する送風口を有する本体ケースと、この本体ケース内に設けた空気清浄手段と、前記送風口を覆った第１の風向調整手段を備え、前記第１の風向調整手段は、第１の風向板と、この第１の風向板を前記送風口に軸支する第１の軸部とから形成し、前記第１の風向板は、前記本体ケースにおける前面側に位置すると共に、前記本体ケースにおける前面側が、水平面から仰角方向へ開口する構成となっていた（例えば、特許文献１参照）。
【先行技術文献】
【特許文献】
【０００４】
【特許文献１】特許第４８４０１８１号公報
【発明の概要】
【発明が解決しようとする課題】
【０００５】
上記従来例における課題は、床上での吸気口へ流れ込む吸込気流の風速を増加させると、送風口から吹き出す吹出気流による本体の吸気口へ流れ込む気流の誘引が増加することであった。
【０００６】
送風口からの吹き出し角度が仰角方向へ大きいものに比べると、送風口からの吹き出し角度が仰角方向へ小さいものは、室内での循環気流の渦の中心が下るものである。このように、循環気流の渦の中心が下ることにより、床上での本体の吸気口へ流れ込む気流の垂直方向の高さが小さくなる。これによって、床上での吸気口へ流れ込む気流の風速を増加させることができるものであった。
【０００７】
ところが、吹き出し角度を小さくすると、送風口からの吹き出し気流と床上での本体の吸気口へ流れ込む吸込気流とが近づき、空気清浄装置の吸込み口へ向かう汚れた空気の一部を吹き出し気流が誘引してしまい、空気清浄機本体に吸込まれる前に室内を再循環してしまう場合があった。
【０００８】
そこで、本発明は、上記従来の課題を解決するものであり、床上での吸気口へ流れ込む気流の風速を増加させると共に、吹き出し気流による吸込み気流の誘引を抑制する空気清浄装置を提供することを目的とする。
【課題を解決するための手段】
【０００９】
そして、この目的を達成するために、吸気口と送風口を有する本体ケースと、この本体ケース内に設けた送風手段および空気清浄手段と、前記送風口に設けた第１の風向調整手段と第２の風向調整手段とを備え、前記吸気口は前記本体ケースの前面に設け、前記送風口は上方に開口すると共に前記本体ケースの天面に備え、前記送風手段によって、前記吸気口から吸い込まれた空気は、前記空気清浄手段を介して、前記送風口へ送風され、前記第１の風向調整手段と前記第２の風向調整手段で風向を変化させる構成とし、前記第１の風向調整手段は、前記本体ケースにおける前面側に位置すると共に、水平面から仰角方向へ第１の角度で前記本体ケースにおける前面側へ送風するように風向を変化させ、前記第２の風向調整手段は、前記本体ケースにおける背面側に位置すると共に、水平面から仰角方向へ第２の角度で前記本体ケースにおける前面側へ送風するように風向を変化させ、前記第１の角度は、前記第２の角度と同じ角度であると共に、前記第１の風向調整手段の上流側には、風量調整手段を設け、この風量調整手段によって、前記第１の風向調整手段から送風される風量は、前記第２の風向調整手段から送風される風量より小さいことを特徴としたものであり、これにより所期の目的を達成するものである。
【発明の効果】
【００１０】
本発明によれば、吸気口と送風口を有する本体ケースと、この本体ケース内に設けた送風手段および空気清浄手段と、前記送風口に設けた第１の風向調整手段と第２の風向調整手段とを備え、前記吸気口は前記本体ケースの前面に設け、前記送風口は上方に開口すると共に前記本体ケースの天面に備え、前記送風手段によって、前記吸気口から吸い込まれた空気は、前記空気清浄手段を介して、前記送風口へ送風され、前記第１の風向調整手段と前記第２の風向調整手段で風向を変化させる構成とし、前記第１の風向調整手段は、前記本体ケースにおける前面側に位置すると共に、水平面から仰角方向へ第１の角度で前記本体ケースにおける前面側へ送風するように風向を変化させ、前記第２の風向調整手段は、前記本体ケースにおける背面側に位置すると共に、水平面から仰角方向へ第２の角度で前記本体ケースにおける前面側へ送風するように風向を変化させ、前記第１の角度は、前記第２の角度と同じ角度であると共に、前記第１の風向調整手段の上流側には、風量調整手段を設け、この風量調整手段によって、前記第１の風向調整手段から送風される風量は、前記第２の風向調整手段から送風される風量より小さいという構成にしたものである。
【００１１】
このように、第１の角度は、第２の角度と同じ角度であると共に、第１の風向調整手段の上流側には、風量調整手段を設けたので、まず、送風口から送風される気流が２つに分けられ、更に、風量調整手段によって、第１の風向調整手段から送風される風量は、第２の風向調整手段から送風される風量より小さくなり、第１の風向調整手段から送風される気流によって、本体の吸気口へ流れ込む気流の誘引を抑制することができる。
【図面の簡単な説明】
【００１２】
【図１】本発明の実施の形態１の全体構成を示す斜視図
【図２】同内部を示す概略縦断面図
【図３】同加湿手段を示す概略図
【発明を実施するための形態】
【００１３】
（実施の形態１）
図１および図２に示すように、本実施形態の空気清浄装置は、吸気口１と送風口２を有する本体ケース３と、この本体ケース３内に設けられた空気清浄手段４と、送風手段５と、制御手段６と、操作部７を備えている。
【００１４】
本体ケース３は、縦長四角箱形状で、本体ケース３の前面の下部に吸気口１を備え、本体ケース３の天面の背面側に横長四角形状の送風口２を設けている。この送風口２には、開閉自在に設けられた第１の風向調整手段８と第２の風向調整手段９とを備えている。
【００１５】
空気清浄手段４は、本体ケース３の吸気口１近傍に設けられ、一例としては、空気清浄フィルタである。プリーツ形状の濾材部（図示せず）と、この濾材部を固定する四角筒形状の枠部（図示せず）とから形成している。この濾材部を空気が通過すると、空気中の粉塵等が捕集されるものである。
【００１６】
送風手段５は、空気清浄手段４と本体ケース３の送風口２との間の風路に位置し、ケーシング部１０と、モーター部１１と、ファン部１２とから形成している。ケーシング部１０は、スクロール形状で、側面に円形状の吸込口１３を備え、上面に横長四角形状の吐出口１４を設け、この吐出口１４とファン部１２との間にケーシング風路部１６を備えている。このケーシング部１０には、モーター部１１が固定されている。このモーター部１１の水平方向に伸びた軸部１５には、遠心送風タイプのファン部１２が固定されている。
【００１７】
モーター部１１によってファン部１２が回転すると、本体ケース３外の空気が、吸気口１から本体ケース３内に吸気され、空気清浄手段４、送風手段５とを順次介して送風口２へと送風されるものである。
【００１８】
操作部７は、本体ケース３の天面の送風口２より前面側に位置し、この操作部７の下方には、制御手段６を備えている。
【００１９】
本実施形態における特徴は、送風口２に設けた第１の風向調整手段８と第２の風向調整手段９と、第１の風向調整手段８の上流側に備えた風量調整手段である。
【００２０】
すなわち、送風手段５によって、吸気口１から吸い込まれた空気は、空気清浄手段４を介して、送風口２へ送風され、第１の風向調整手段８と第２の風向調整手段９で風向を変化させるのである。第１の風向調整手段８は、本体ケース３における前面側に位置すると共に、水平面から仰角方向へ第１の角度で本体ケース３における前面側へ送風するように風向を変化させ、第２の風向調整手段９は、本体ケース３における背面側に位置すると共に、水平面から仰角方向へ第２の角度で本体ケース３における前面側へ送風するように風向を変化させる。ここで、第１の角度は、第２の角度と同じ角度であると共に、第１の風向調整手段８の上流側には、風量調整手段を設けている。この風量調整手段によって、第１の風向調整手段８から送風される風量は、第２の風向調整手段９から送風される風量より小さくなる。
【００２１】
このように、第１の角度は、第２の角度と同じ角度であると共に、第１の風向調整手段８の上流側には、風量調整手段を設けたので、まず、送風口２から送風される気流を２つに分けられ、更に、風量調整手段によって、第１の風向調整手段８から送風される風量は、第２の風向調整手段９から送風される風量より小さくなり、第１の風向調整手段８から送風される気流によって、本体の吸気口へ流れ込む気流の誘引を抑制することができる。
【００２２】
また、第２の風向調整手段９から送風される風量は、第１の風向調整手段８から送風される風量より大きくなる。これにより、第２の風向調整手段９から送風される気流によって、第１の風向調整手段８から送風される気流の一部は誘引されるものの、本体の吸気口１へ流れ込む気流の誘引を抑制することができる。
【００２３】
また、図３に示すように、第１の風向調整手段８は、横長四角形状の平板である第１の風向板１７と、この第１の風向板１７を送風口２に回動自在に軸支する第１の軸支部１８とから形成している。この第１の軸支部１８は、第１の風向板１７の短辺側から外方へ伸びた第１の軸部１９と、送風口２に設けられた水平方向の孔で、この第１の軸部１９が入る第１の軸受部２０とからなる。第１の軸部１９を介して第１の風向板１７を回動させる第１の回動手段２１を備えている。第１の風向板１７は、本体ケース３における前面側に位置すると共に、第１の回動手段２１によって、本体ケース３における前面側が、水平面から仰角方向へ第１の角度を開口する。
【００２４】
第２の風向調整手段９は、横長四角形状の平板である第２の風向板２２と、この第２の風向板２２を送風口２に回動自在に軸支する第２の軸支部２３とから形成している。この第２の軸支部２３は、第２の風向板２２の短辺側から外方へ伸びた第２の軸部２４と、送風口２に設けられた水平方向の孔で、この第２の軸部２４が入る第２の軸受部２５とからなる。第２の軸部２４を介して第２の風向板２２を回動させる第２の回動手段２６を備えている。第２の風向板２２は、本体ケース３における前面側に位置すると共に、第２の回動手段２６によって、本体ケース３における前面側が、水平面から仰角方向へ第２の角度を開口する。なお、第１の風向板１７および第２の風向板２２の本体ケース３における前後方向と、左右方向の寸法は、ほぼ同じである。
【００２５】
なお、第２の角度は、第１の角度より大きい角度でもよい。これにより、第２の風向調整手段９から送風される気流によって、第１の風向調整手段８から送風される気流の誘引を抑制できる。
【００２６】
また、遠心送風タイプの送風手段５は、スクロール形状のケーシング部１０と、このケーシング部１０に固定されたモーター部１１と、このモーター部１１によって水平方向に伸びた軸である軸部１５を中心に回転するファン部１２とからなる。ケーシング部１０は、側面には吸込口１３を備え、天面には吐出口１４を設け、この吐出口１４とファン部１２との間にケーシング風路部１６を備えている。ここで、風量調整手段は、ケーシング風路部１６が本体ケース３における背面側から前面側へ傾斜する構成である。
【００２７】
このように、ファン部１２は、モーター部１１によって水平方向に伸びた軸である軸部１５を中心に回転するので、吸込口１３から吸い込まれた空気は、ケーシング風路部１６内をほぼ垂直上方へ送風される。ここで、ケーシング風路部１６が本体ケース３における背面側から前面側へ傾斜しているので、送風口２から送風される風量の減少を抑制すると共に、ケーシング風路部１６内では、本体ケース３における背面側の比べ前面側を通過する風量が減少する。これにより、本体ケース３における前面側に位置する第１の風向調整手段８から送風される風量は、本体ケース３における背面側に位置する第２の風向調整手段９から送風される風量より小さくなる。結果として、第１の風向調整手段８から送風される気流によって、本体の吸気口１へ流れ込む気流の誘引を抑制することができる。
【００２８】
また、ファン部１２は、モーター部１１によって水平方向に伸びた軸である軸部１５を中心に回転するので、吸込口１３から吸い込まれた空気は、ケーシング風路部１６内をほぼ垂直上方へ送風される。ここで、ケーシング風路部１６が本体ケース３における背面側から前面側へ傾斜しているので、まず、本体ケース３における背面側から前面側へ風向が変化し、更に、第１の風向調整手段および第２の風向調整手段によって、本体ケース３における背面側から前面側へ風向が変化する。このように、ケーシング風路部１６と、第１の風向調整手段および第２の風向調整手段との２箇所で風向が変化させられるので、風向変化時の角度が緩やかになり、風向変化時に発生する送風抵抗を抑制できる。
【００２９】
また、風量調整手段は、具体的には、吐出口１４の本体ケース３における前面側に位置し、本体ケース３における前面側へ窪んだ窪み部２７である。ここで、吐出口１４は、横長四角筒形状で、下方から上方に向けて本体ケース３における左右方向において風路面積が広がる形である。この吐出口１４の本体ケース３における前面側の側周には、本体ケース３における前面側へ窪んだ窪み部２７を備えている。この窪み部２７は、吐出口１４の本体ケース３における前面側の側周の上部が、本体ケースにおける前面側へ所定の距離へこんだものである。
【００３０】
モーター部１１によってファン部１２が回転すると、本体ケース３外の空気が、本体ケース３の吸気口１から本体ケース３内に吸気され、空気清浄手段４を介して、送風手段５の吸込口１３からケーシング部１０内へ送風される。このケーシング部１０内の空気が、ファン部１２によって上方へ送風され送風手段５の吐出口１４へ流れる。この吐出口１４へ流れた空気は、本体ケース３における左右方向において広がりながら流れると共に、窪み部２７へも広がりながら流れる。
【００３１】
すなわち、第１の風向調整手段８へ繋がるケーシング風路部１６が広がり、風速が小さくなるものである。結果として、第１の風向調整手段８から送風される気流によって、本体の吸気口１へ流れ込む気流の誘引を抑制することができる。
【００３２】
送風口２と本体ケース３における前面との間、つまり送風口２と操作部７との間には、風向調整部２８を備えている。この風向調整部２８は、本体ケース３における前面側が、水平面から仰角方向へ第３の角度を傾斜している傾斜面である。この第３の角度は、０°より大きく、第１の角度より小さいものである。
【００３３】
これにより、風向調整部２８が、水平面から仰角方向へ第３の角度傾斜しているので、第１の風向調整手段８から出る風が吹き出す際に、風向調整部２８により第３の角度以上で吹き出すために、第３の角度が０°である場合に比べ、吹き出し気流による吸気口１へ流れ込む気流の誘引を抑制することができるのである。
【００３４】
送風口２の開口縁部２９は、本体ケース３における前面側が、水平面から仰角方向へ第３の角度を傾斜している。つまり、送風口２の開口縁部２９と風向調整部２８とが、本体ケースにおける前面側が、水平面から仰角方向へ第３の角度傾斜した同一面上に位置するものである。
【００３５】
すなわち、第１の風向調整手段８から出る風が、本体ケース３における左右方向へ広がって吹き出す際にも、開口縁部２９は、本体ケース３における前面側が、水平面から仰角方向へ第３の角度を傾斜しているので、第１の風向調整手段８から出る風が吹き出す際に、風向調整部２８により第３の角度以上で吹き出すために、第３の角度が０°である場合に比べ、吹き出し気流による吸気口１へ流れ込む気流の誘引を抑制することができるのである。
【産業上の利用可能性】
【００３６】
本発明にかかる空気清浄装置は、吸気口と送風口を有する本体ケースと、この本体ケース内に設けた送風手段および空気清浄手段と、前記送風口に設けた第１の風向調整手段と第２の風向調整手段とを備え、前記吸気口は前記本体ケースの前面に設け、前記送風口は上方に開口すると共に前記本体ケースの天面に備え、前記送風手段によって、前記吸気口から吸い込まれた空気は、前記空気清浄手段を介して、前記送風口へ送風され、前記第１の風向調整手段と前記第２の風向調整手段で風向を変化させる構成とし、前記第１の風向調整手段は、前記本体ケースにおける前面側に位置すると共に、水平面から仰角方向へ第１の角度で前記本体ケースにおける前面側へ送風するように風向を変化させ、前記第２の風向調整手段は、前記本体ケースにおける背面側に位置すると共に、水平面から仰角方向へ第２の角度で前記本体ケースにおける前面側へ送風するように風向を変化させ、前記第１の角度は、前記第２の角度と同じ角度であると共に、前記第１の風向調整手段の上流側には、風量調整手段を設け、この風量調整手段によって、前記第１の風向調整手段から送風される風量は、前記第２の風向調整手段から送風される風量より小さいという構成にしたものである。
【００３７】
このように、第１の角度は、第２の角度と同じ角度であると共に、第１の風向調整手段の上流側には、風量調整手段を設けたので、まず、送風口から送風される気流が２つに分けられ、更に、風量調整手段によって、第１の風向調整手段から送風される風量は、第２の風向調整手段から送風される風量より小さくなり、第１の風向調整手段から送風される気流によって、本体の吸気口へ流れ込む気流の誘引を抑制することができる。
【００３８】
従って、家庭用や事務用などの、空気清浄装置等としての活用が期待されるものである。
【符号の説明】
【００３９】
１    吸気口
２    送風口
３    本体ケース
４    空気清浄手段
５    送風手段
６    制御手段
７    操作部
８    第１の風向調整手段
９    第２の風向調整手段
１０  ケーシング部
１１  モーター部
１２  ファン部
１３  吸込口
１４  吐出口
１５  軸部
１６  ケーシング風路部
１７  第１の風向板
１８  第１の軸支部
１９  第１の軸部
２０  第１の軸受部
２１  第１の回動手段
２２  第２の風向板
２３  第２の軸支部
２４  第２の軸部
２５  第２の軸受部
２６  第２の回動手段
２７  窪み部
２８  風向調整部
２９  開口縁部
【図１】
2014016071.tif 000003
【図２】
2014016071.tif 000004
【図３】
2014016071.tif 000005